(57)【要約】【課題】本発明の課題は、監視に必要な映像を、効率よく、漏れなく、撮像するための監視カメラシステムを提供することである。【解決手段】操作開始の入力を受け付けて、監視開始依頼を、管理サーバ装置に、送信して、操作終了の入力を受け付けて、監視終了依頼を、管理サーバ装置に、送信する監視設備と、監視開始依頼を受け付けて、映像送信要求を、ネットワークカメラに、発行して、映像データを受信記録して、再生して、監視終了依頼を受け付けて、映像停止要求を、ネットワークカメラに、発行する管理サーバ装置と、映像送信要求を受け付けて、映像を撮像して、映像データを作成して、送信するネットワークカメラと、から構成される監視カメラシステムである。【選択図】図１
2007329601.tif 000002
【特許請求の範囲】
【請求項１】
監視設備と、ネットワーク接続された管理サーバ装置とネットワークカメラと、から構成される監視カメラシステムにおいて、
監視設備は、
操作開始の入力を受け付けて、監視開始依頼を、管理サーバ装置に、送信する監視開始依頼手段と、
操作終了の入力を受け付けて、監視終了依頼を、管理サーバ装置に、送信する監視終了依頼手段と、
を備える設備であって、
管理サーバ装置は、
監視開始依頼を受け付けて、映像送信要求を、ネットワークカメラに、発行する映像送信要求手段と、
映像データを受信する映像データ受信手段と、
映像データを記録する映像データ記録手段と、
記録した映像データを再生する映像データ再生手段と、
監視終了依頼を受け付けて、映像停止要求を、ネットワークカメラに、発行する映像停止要求手段と、
を備えるサーバ装置であって、
ネットワークカメラは、
映像送信要求を受け付ける映像送信要求受付手段と、
映像を撮像して、画像メモリーに記録する撮像手段と、
画像メモリーの映像を読み出して、映像データを作成する映像データ作成手段と、
映像データを、送信する映像データ送信手段と、
映像停止要求を受け付ける映像停止要求受付手段と、
を備えるカメラである、
ことを特徴とする監視カメラシステム。
【請求項２】
所定の作業の開始を受け付けて、監視開始依頼を発行する監視依頼ステップと、
監視開始依頼を受け付けて、映像送信要求を発行する映像送信要求ステップと、
映像送信要求を受け付けて、作成された映像データを、送信する映像データ送信ステップと、
映像データを受信して、再生する映像データ再生手段ステップと、
所定の作業の終了を受け付けて、監視終了依頼を発行する監視終了依頼ステップと、
監視終了依頼を受け付けて、映像停止要求を発行する映像停止要求ステップと、
映像停止要求を受け付けて、映像データの送信を停止する映像データ送信停止ステップと、
を含んだ手順でなされることを特徴とする監視方法。
【請求項３】
コンピュータに組込むことによって、コンピュータを請求項１に記載の監視カメラシステムとして動作させるコンピュータプログラム。
【請求項４】
請求項３に記載のコンピュータプログラムを記録したコンピュータ読取り可能な記録媒体。
【発明の詳細な説明】
【技術分野】
【０００１】
本発明は、カメラを用いて、遠隔地から監視するシステム、および、その方法に関するものである。
【０００２】
従来から、監視カメラの映像を用いて、遠隔地からの監視が行われている。
【背景技術】
【０００３】
たとえば、特許文献１では、銀行などで、１台の監視カメラを用いて、複数台のＡＴＭの中から、特に注意を払うＡＴＭを判別して、これを選択して撮影する技術が開示されている。（従来技術１）
【特許文献１】特開平５−１２６６５２号公報（３〜５ページ、図３、４）
【発明の開示】
【発明が解決しようとする課題】
【０００４】
ところで、従来技術１では、ＡＴＭが複数台同時に利用されている場合に、監視カメラで、ＡＴＭを１台ずつ、順次に監視するために、監視が不十分に行なえないという問題点があった。さらに、１台のカメラで監視しているので、監視の視野を遮られると、監視映像を撮影できないという欠点があった。
【０００５】
本発明はこのような従来技術を考慮してなされたものであって、本発明の課題は、監視に必要な映像を、効率よく、漏れなく、撮像するための監視カメラシステムに関するものである。
【課題を解決するための手段】
【０００６】
本発明は、以下のような解決手段により、前記課題を解決する。すなわち、請求項１の発明は、監視設備と、ネットワーク接続された管理サーバ装置とネットワークカメラと、から構成される監視カメラシステムにおいて、監視設備は、操作開始の入力を受け付けて、監視開始依頼を、管理サーバ装置に、送信する監視開始依頼手段と、操作終了の入力を受け付けて、監視終了依頼を、管理サーバ装置に、送信する監視終了依頼手段と、を備える設備であって、管理サーバ装置は、監視開始依頼を受け付けて、映像送信要求を、ネットワークカメラに、発行する映像送信要求手段と、映像データを受信する映像データ受信手段と、映像データを記録する映像データ記録手段と、記録した映像データを再生する映像データ再生手段と、監視終了依頼を受け付けて、映像停止要求を、ネットワークカメラに、発行する映像停止要求手段と、を備えるサーバ装置であって、ネットワークカメラは、映像送信要求を受け付ける映像送信要求受付手段と、映像を撮像して、画像メモリーに記録する撮像手段と、画像メモリーの映像を読み出して、映像データを作成する映像データ作成手段と、映像データを、送信する映像データ送信手段と、映像停止要求を受け付ける映像停止要求受付手段と、映像データの送信を停止する映像データ送信停止手段と、を備えるカメラである、ことを特徴とする監視カメラシステムである。
【０００７】
ここで、管理サーバ装置は、監視に必要な映像データだけを受信して、記録する。また、監視カメラを複数台用いることで、必要な映像を、漏れなく、効率よく、撮影することが可能である。
【０００８】
請求項２の発明は、所定の作業の開始を受け付けて、監視開始依頼を発行する監視依頼ステップと、監視開始依頼を受け付けて、映像送信要求を発行する映像送信要求ステップと、映像送信要求を受け付けて、作成された映像データを、送信する映像データ送信ステップと、映像データを受信して、再生する映像データ再生手段ステップと、所定の作業の終了を受け付けて、監視終了依頼を発行する監視終了依頼ステップと、監視終了依頼を受け付けて、映像停止要求を発行する映像停止要求ステップと、映像停止要求を受け付けて、映像データの送信を停止する映像データ送信停止ステップと、を含んだ手順でなされることを特徴とする監視方法である。
【０００９】
請求項３の発明は、コンピュータに組込むことによって、コンピュータを請求項１に記載の監視カメラシステムとして動作させるコンピュータプログラムである。
【００１０】
請求項４の発明は、請求項３に記載のコンピュータプログラムを記録したコンピュータ読取り可能な記録媒体である。
【発明の効果】
【００１１】
本願発明によれば、監視に必要な映像を、洩れなく撮影することが可能である。
【発明を実施するための最良の形態】
【００１２】
（実施例）
以下、図面等を参照しながら、本発明の実施の形態について、更に詳しく説明する。
図１は、監視カメラシステムの概要を説明する図である。
【００１３】
監視カメラシステム１は、監視設備１００（たとえば、ネットワーク管理端末装置。）と、ネットワークカメラ５００がネットワーク接続された管理サーバ装置７００と、から構成される。
【００１４】
管理サーバ装置７００は、映像データ５９９を記憶する。
【００１５】
図２は、監視カメラシステム１の大まかな処理の流れを説明する。
【００１６】
監視設備１００は、操作開始の入力（たとえば、端末装置のログイン入力）を受け付けて、監視開始依頼を、管理サーバ装置７００に、送信する（図２（１））。
【００１７】
管理サーバ装置７００は、操作開始依頼を受け付けて、映像送信要求をネットワークカメラ５００に発行する（同（２））。
【００１８】
ネットワークカメラ５００は、映像送信要求を受け付けて、撮影を開始する（同（３））。ネットワークカメラ５００は、撮影対象（たとえば、端末装置の操作者の顔や、操作者の手元や、端末装置の画面や、部屋全体））を撮像して、映像データ５９９を作成して、送信する（同（４））。
【００１９】
管理サーバ装置７００は、ネットワークカメラ５００は、映像データ５９９を受信して、記録する（同（５））。
【００２０】
なお、管理者９００は、記録した映像データ５９９を再生して、操作を監視することができる。
【００２１】
監視設備１００は、操作終了の入力（たとえば、ログアウトの入力）を受け付けて、監視終了依頼を、管理サーバ装置７００に、送信する（同（１１））。
【００２２】
管理サーバ装置７００は、監視終了依頼を受け付けて、映像停止要求を、ネットワークカメラ５００に、発行する（同（１２））。
【００２３】
ネットワークカメラ５００は、映像停止要求を受け付けて、映像データの送信を終了する（同（１３））。
【００２４】
なお、ネットワークカメラ５００は、管理サーバ装置７００が要求したときだけ、映像データを送信するので、管理サーバ装置７００が記録する撮影データが、流し撮りのように膨大になることがなく、効率よく、記録することが可能となる。
【００２５】
さらに、人相を撮影する監視カメラや、机上の様子を撮影する監視カメラや、設備を操作する様子を撮影する監視カメラや、操作端末装置の画面を撮影する監視カメラや、部屋全体の様子を撮影する監視カメラなど、複数台のカメラを用いることで、監視に必要な映像データを、洩れなく、得ることができるので、精度の高い監視が可能となる。
【００２６】
たとえば、操作者が、ものを書き写す様子や、携帯電話などの持込カメラで撮影する様子や、CDにデータをダウンロードする様子を捉えることができる。また、操作者が、監視カメラを止めたり、監視カメラの視界を遮ぎったりすれば、不正が行なわれた可能性が高いと判断できる。また、詳細な撮影データを得るために、必要に応じて、クローズアップ撮影してもよい。
【００２７】
図３は、監視カメラシステム１の詳細な構成図である。監視カメラシステム１は、監視設備１００と、ネットワークカメラ５００がネットワーク接続された管理サーバ装置７００と、から構成される。
【００２８】
監視設備１００は、監視開始依頼手段１２０と、監視終了依頼手段１４０と、を備える。
【００２９】
監視開始依頼手段１２０は、操作開始の入力（たとえば、ログイン入力）を受け付けて、監視開始依頼を、管理サーバ装置に、送信する。
【００３０】
監視終了依頼手段１４０は、操作終了の入力（たとえば、ログアウト入力）を受け付けて、監視終了依頼を、管理サーバ装置７００に、送信する。
【００３１】
管理サーバ装置７００は、映像送信要求手段７２０と、映像停止要求手段７４０と、映像データ受信手段７５０と、映像データ記録手段７６０と、映像データ再生手段７７０と、記憶手段７９０と、を備える。記憶手段７９０は、映像データ５９９を記憶する。
【００３２】
映像送信要求手段７２０は、監視設備１００から、監視開始依頼を受け付けて、映像送信要求を、ネットワークカメラ５００に、発行する。映像停止要求手段７４０は、監視終了依頼を受け付けて、映像停止要求を、ネットワークカメラ５００に、発行する。
【００３３】
映像データ受信手段７５０は、映像データ５９９を受信する。映像データ記録手段７６０は、映像データ５９９を記録する。映像データ再生手段７７０は、記録した映像データを再生する。
【００３４】
ネットワークカメラ５００は、映像送信要求受付手段５１０と、撮像手段５２０と、映像データ作成手段５３０と、映像データ送信手段５４０と、映像停止要求受付手段５５０と、映像データの送信を停止する映像データ送信停止手段５６０と、を備える。
【００３５】
映像送信要求受付手段５１０は、管理サーバ装置７００から、映像送信要求を受け付ける。
【００３６】
撮像手段５２０は、映像を撮像して、画像メモリーに記録する。映像データ作成手段５３０は、画像メモリーの映像を読み出して、映像データ５９９を作成する。
【００３７】
映像データ送信手段５４０は、映像データ５９９を、管理サーバ装置７００に、送信する。
【００３８】
映像停止要求受付手段５５０は、管理サーバ装置７００から、映像停止要求を受け付ける。映像データ送信停止手段５６０は、管理サーバ装置７００への映像データ５９９の送信を停止する。
【００３９】
監視開始依頼手段１２０と、監視終了依頼手段１４０と、映像送信要求受付手段５１０と、映像データ作成手段５３０と、映像データ送信手段５４０と、映像停止要求受付手段５５０と、映像データ送信停止手段５６０と、映像送信要求手段７２０と、映像停止要求手段７４０と、映像データ受信手段７５０と、映像データ記録手段７６０と、映像データ再生手段７７０と、は、コンピュータプログラムである。映像データ５９９は、コンピュータプログラムが可読なデータである。記憶手段７９０は、メモリーである。撮像手段５２０は、ＣＣＤである。
【００４０】
以上詳しく説明したように、本願発明によれば、監視に必要な映像を、洩れなく撮影することが可能となった。
【図面の簡単な説明】
【００４１】
【図１】監視カメラシステム
【図２】監視カメラシステム１の大まかな処理の流れ
【図３】監視カメラシステム１の詳細な構成図
【符号の説明】
【００４２】
１  監視カメラシステム
１００  監視設備
１２０  監視開始依頼手段
１４０  監視終了依頼手段
５００  ネットワークカメラ
５１０  映像送信要求受付手段
５２０  撮像手段
５３０  映像データ作成手段
５４０  映像データ送信手段
５５０  映像停止要求受付手段
５６０  映像データ送信停止手段
５９９  映像データ
７００  管理サーバ装置
７２０  映像送信要求手段
７４０  映像停止要求手段
７５０  映像データ受信手段
７６０  映像データ記録手段
７７０  映像データ再生手段
７９０  記憶手段
【図１】
2007329601.tif 000003
【図２】
2007329601.tif 000004
【図３】
2007329601.tif 000005